(57)【要約】【課題】盗難や誤使用を防止する遊戯台カバーを提供する。【解決手段】  遊戯台１に構成する受皿部の周囲面の少なくとも一面に配置される支持部１２と、支持部１２を受皿部の周囲面の少なくとも一面に余勢して密着させる弾性部１３と、弾性部１３及び／もしくは支持部１２に取り付けられて受皿部を被うカバー本体１４とを備える。これにより、盗難や誤使用を防止することができる。【選択図】図４
2006055197.tif 000002
【特許請求の範囲】
【請求項１】
遊戯台に構成する受皿部の周囲面の少なくとも一面に配置される支持部と、該支持部を受皿部の周囲面の少なくとも一面に余勢して密着させる弾性部と、該弾性部及び／もしくは支持部に取り付けられて受皿部を被うカバー本体とを備えたことを特徴とする遊戯台カバー。
【請求項２】
遊戯台に構成する前面部の周囲面の少なくとも一面に配置される支持部と、該支持部を前面部の周囲面の少なくとも一面に余勢して密着させる弾性部と、該弾性部及び／もしくは支持部に取り付けられて前面部を被うカバー本体とを備えたことを特徴とする遊戯台カバー。
【請求項３】
支持部を、周囲面の曲部及び／もしくは角部に密着させるように構成した請求項１又は２記載の遊戯台カバー。
【請求項４】
カバー本体の外側面に、表示物を差し込むよう収納部を備えた請求項１〜３のいずれかに記載の遊戯台カバー。
【発明の詳細な説明】
【技術分野】
【０００１】
本発明は、遊戯台に用いる遊戯台カバーに関するものである。
【背景技術】
【０００２】
一般に、図８に示す如く、スロットゲームやパチンコゲーム等の遊戯台１では、当たり状態でメダルやパチンコ玉が払出口２から払い出されて受皿部３に溜まるようになっており、受皿部３にある程度メダルやパチンコ玉が溜った場合には、適宜メダルやパチンコ玉を収納容器（図示せず）に移して別途保管するようにしている。なお、図中、４は受皿部３の収容部、５は受皿部３の灰皿部、６は受皿部３の前面、７は周囲面の側面、８は側面７の角部、９は遊戯台１の前面部、９ａは前面部９の上面、９ｂは前面部９の側面を示している。
【０００３】
そして、遊戯台１の使用者が休憩を取る際には、メダルやパチンコ玉を溜めた受皿部３にプレート（図示せず）を配置して使用中であることを提示すると共に、メダルやパチンコ玉を収納した収納容器に蓋を被せて盗難や他人の誤使用を防止するようにしている。ここで、収納容器に被せる蓋にはシャッター状のものがある（例えば、特許文献１参照）。
【特許文献１】特開２００２−１４３５４６号公報
【発明の開示】
【発明が解決しようとする課題】
【０００４】
しかしながら、遊戯台１の使用者が休憩を取る際に受皿部３にプレートを配置しても、受皿部３のメダルやパチンコ玉に対して他人が容易に触れる状態であるため、盗難や他人の誤使用を防止できないという問題があった。又、遊戯台１の受皿部３は種々の形状があるため、収納容器の如く一様に蓋を被せることができず、結果的にメダルやパチンコ玉を露出させるという問題があった。
【０００５】
本発明は、上述の実情に鑑み、盗難や誤使用を防止する遊戯台カバーを提供することを目的とするものである。
【課題を解決するための手段】
【０００６】
本発明の請求項１は、遊戯台に構成する受皿部の周囲面の少なくとも一面に配置される支持部と、該支持部を受皿部の周囲面の少なくとも一面に余勢して密着させる弾性部と、該弾性部及び／もしくは支持部に取り付けられて受皿部を被うカバー本体とを備えたことを特徴とする遊戯台カバーにかかるものである。
【０００７】
本発明の請求項２は、遊戯台に構成する前面部の周囲面の少なくとも一面に配置される支持部と、該支持部を前面部の周囲面の少なくとも一面に余勢して密着させる弾性部と、該弾性部及び／もしくは支持部に取り付けられて前面部を被うカバー本体とを備えたことを特徴とする遊戯台カバーにかかるものである。
【０００８】
本発明の請求項３に示す如く、支持部を、周囲面の曲部及び／もしくは角部に密着させるように構成することが好ましい。
【０００９】
本発明の請求項４に示す如く、カバー本体の外側面に、表示物を差し込むよう収納部を備えることが好ましい。
【００１０】
このように、本発明の遊戯台カバーによれば、支持部及び弾性部によりカバー本体を遊戯台の受皿部もしくは前面部に取り付け、カバー本体で受皿部もしくは前面部を被うので、受皿部もしくは前面部に対して容易に触れる状態を制限し、盗難や誤使用を防止することができる。又、弾性部により支持部を余勢して受皿部もしくは前面部に密着させるので、受皿部や前面部の形状に影響を受けることなく、カバー本体を受皿部もしくは前面部を容易に取り付けて受皿部もしくは前面部の露出を防止することができる。
【００１１】
支持部を、周囲面の曲部及び／もしくは角部に密着させるように構成すると、受皿部もしくは前面部の周囲面に曲部及び／もしくは角部を有する場合であっても、曲部及び／もしくは角部の影響を受けることなく、カバー本体を受皿部もしくは前面部に取り付け、結果的に、容易に触れる状態を好適に制限して盗難や誤使用を防止することができる。
【００１２】
カバー本体の外側面に、表示物を差し込むよう収納部を備えると、収納部を介して表示物を配置し得るので、遊戯台が使用できないことを表示物により知らせ、盗難や誤使用を一層好適に防止することができる。
【発明の効果】
【００１３】
以上説明したように、本発明の遊戯台カバーによれば、支持部及び弾性部によりカバー本体を遊戯台の受皿部もしくは前面部に取り付け、カバー本体で受皿部もしくは前面部を被うので、盗難や誤使用を防止することができるという優れた効果を奏し得る。
【発明を実施するための最良の形態】
【００１４】
以下、本発明の実施の形態を図面に基いて説明する。
【００１５】
図１〜図４は、本発明の遊戯台カバー１１を実施する形態の第一例である。
【００１６】
本形態の第一例の遊戯台カバー１１は、四角形の一角を斜めに切り欠いた形状を備える二枚の平板状の支持部１２と、支持部１２の下方から外側面１２ａを介し上方へ延在して二枚の支持部１２を連結する伸縮自在な一本のゴム帯の弾性部１３と、二枚の支持部１２の間に配置されて後方から前方へ張り出し得るよう弾性部１３の下方端１３ａと弾性部１３の連結部１３ｂに接続された一枚のメッシュ布のカバー本体１４とを備えている。
【００１７】
又、二枚の支持部１２は、切り欠いた部分の面を前側上方へ向けるよう配置されると共に、夫々、内側面１２ｂにスポンジ等の柔軟な密着材１５を貼付している。更に、弾性部１３は、支持部１２の外側面１２ａに縫い付けられており、カバー本体１４は、弾性部１３の下方端１３ａを挟み込むようカバー本体１４の下部１４ａを折り込んで下方端１３ａ及び下部１４ａを縫い付けると共に、弾性部１３の連結部１３ｂを挿通可能にするようカバー本体１４の上部１４ｂを折り返してカバー本体１４の上部１４ｂ同士を縫い付けている。更に又、カバー本体１４の外側面１４ｃには、「離席中」等の表示や「新台ＯＰＥＮ」等の広告のチラシやプレート（表示物）を表示し得るよう、チラシやプレート（表示物）を側方から差し込むポケット状の透明な収納部１６を縫い付けている。ここで、カバー本体１４は、弾性部１３もしくは支持部１２のいずれかに取り付けても良いし、弾性部１３及び支持部１２の両方に取り付けても良い。
【００１８】
以下、本発明を実施する形態の第一例の作用を説明する。
【００１９】
遊戯台１の使用者が休憩を取る場合や、故障や認可待ちにより遊戯台１を使用できない場合には、第一例の遊戯台カバー１１を、遊戯台１に構成する受皿部３に被せる。具体的には、弾性部１３を伸長させて支持部１２を受皿部３の周囲面の両側面７，７に夫々配置し、弾性部１３を縮短させることにより夫々の支持部１２を受皿部３の周囲面の両側面７，７に余勢して受皿部３を両側から挟むよう密着させ、カバー本体１４により、受皿部３の上面から前面６を介し底面までを被う。ここで、支持部１２は、受皿部３の周囲面の少なくとも一面に配置して保持されるならば、受皿部３の周囲面の両側面７，７でなく、両側面７，７の一方、底面、上面のいずれか一面で保持されても良いし、複数の面で保持されても良い。
【００２０】
このように、本形態の第一例の遊戯台カバー１１によれば、受皿部３にメダルやパチンコ玉を溜めた状態で遊戯台１の使用者が休憩を取る場合であっても、支持部１２及び弾性部１３によりカバー本体１４を遊戯台１の受皿部３に取り付け、カバー本体１４で受皿部３を被うので、カバー本体１４により受皿部３に対して他人が容易に触れる状態を制限し、盗難や他人の誤使用を防止することができる。又、故障や認可待ちにより遊戯台１を使用できない場合であっても、カバー本体１４を受皿部３に被せて遊戯台１を使用できない旨を表示し得るので、誤使用を防止することができる。更に、弾性部１３により支持部１２を余勢して受皿部３の周囲面の両側面７，７に密着させるので、受皿部３の形状に影響を受けることなく、カバー本体１４を受皿部３に容易に取り付けて受皿部３の露出を防止することができる。
【００２１】
支持部１２を、受皿部３の周囲面の曲部及び／もしくは角部８に密着させるように密着材１５を構成すると、図８の角部８の如く受皿部３の周囲面に曲部及び／もしくは角部８がある場合であっても、曲部及び／もしくは角部８の影響を受けることなく、カバー本体１４を受皿部３に取り付け、結果的に、他人が容易に触れる状態を好適に制限して盗難や他人の誤使用を防止することができる。
【００２２】
カバー本体１４の外側面に、表示物を差し込むよう収納部１６を備えると、収納部１６を介して表示物を配置し得るので、遊戯台１が使用できないことを表示物により知らせ、盗難や誤使用を一層好適に防止することができる。
【００２３】
図５〜図７は、本発明の遊戯台カバー２１を実施する形態の第二例である。
【００２４】
本形態の第二例の遊戯台カバー２１は、二枚の平板状の支持部２２と、一方の支持部２２の裏面両端から夫々上下方向へ延在して他方の支持部２２の裏面両端に接続する伸縮自在な二本のゴム帯の弾性部２３と、左右二本の弾性部２３の間に配置されて後方から前方へ張り出し得るよう上下の支持部２２に接続された一枚のメッシュ布のカバー本体２４とを備えている。
【００２５】
又、二枚の支持部２２は、裏面２２ａに、弾性部２３の端部２３ａ及びカバー本体２４の端部２４ａを介してスポンジ等の柔軟な密着材２５を貼付している。更に、弾性部２３及びカバー本体２４は、二枚の支持部２２に夫々縫い付けられており、更に又、カバー本体２４の外側面２４ｂには、「離席中」等の表示や「新台ＯＰＥＮ」等の広告のチラシやプレート（表示物）を表示し得るよう、チラシやプレート（表示物）を上方から差し込むポケット状の透明な収納部２６を縫い付けている。ここで、カバー本体２４は、弾性部２３もしくは支持部２２のいずれかに取り付けても良いし、弾性部２３及び支持部２２の両方に取り付けても良い。
【００２６】
以下、本発明を実施する形態の第二例の作用を説明する。
【００２７】
遊戯台１の使用者が休憩を取る場合や、故障や認可待ちにより遊戯台１を使用できない場合には、第二例の遊戯台カバー２１を、遊戯台１に構成する前面部９に被せる。具体的には、弾性部２３を伸長させて支持部２２を前面部９の周囲面の上方及び下方に夫々配置し、弾性部２３を縮短させることにより夫々の支持部２２を前面部９の周囲面の上面９ａ及び下面に余勢して前面部９を上下方向から挟むよう密着させ、カバー本体２４により、受皿部３を含めて上面９ａから前面を介し底面までを被う。ここで、支持部２２は、前面部９の周囲面の少なくとも一面に配置して保持されるならば、前面部９の周囲面の上面９ａ及び下面でなく、上面９ａもしくは下面の一方、側面９ｂのいずれか一面で保持されても良いし、複数の面で保持されても良い。
【００２８】
このように、本形態の第二例の遊戯台カバー２１によれば、前面部９にメダルやパチンコ玉を溜めた状態で遊戯台１の使用者が休憩を取る場合であっても、支持部２２及び弾性部２３によりカバー本体２４を遊戯台１の前面部９に取り付け、カバー本体２４で前面部９を被うので、カバー本体２４により前面部９に対して他人が容易に触れる状態を制限し、盗難や他人の誤使用を防止することができる。又、故障や認可待ちにより遊戯台１を使用できない場合であっても、カバー本体２４を前面部９に被せて遊戯台１を使用できない旨を表示し得るので、誤使用を防止することができる。更に、弾性部２３により支持部２２を余勢して前面部９の周囲面の上面９ａ及び下面に密着させるので、前面部９の形状に影響を受けることなく、カバー本体２４を前面部９を容易に取り付けて前面部９の露出を防止することができる。
【００２９】
支持部２２を、前面部９の周囲面の曲部及び／もしくは角部に密着させるように密着材２５を構成すると、前面部９の周囲面に曲部及び／もしくは角部がある場合であっても、曲部及び／もしくは角部の影響を受けることなく、カバー本体２４を前面部９に取り付け、結果的に、他人が容易に触れる状態を好適に制限して盗難や他人の誤使用を防止することができる。
【００３０】
カバー本体２４の外側面に、表示物を差し込むよう収納部２６を備えると、収納部２６を介して表示物を配置し得るので、遊戯台１が使用できないことを表示物により知らせ、盗難や誤使用を一層好適に防止することができる。
【００３１】
なお、本発明は、上述の実施の形態にのみ限定されるものではなく、支持部は、遊戯台の受皿部もしくは前面部に保持されるならば、密着材を含め、どのような形状、材質、大きさでも良いこと、弾性部は、支持部を遊戯台の受皿部もしくは前面部に余勢するならば、ゴム帯に限定されるものでなく、どのような形状、材質、大きさでも良いこと、カバー本体は、メッシュ状の素材に限定されるものでなく、布、ビニール等、カバー形状を構成するならば特に限定されるものではないこと、カバー本体は、後方から前方へ張り出して受皿部もしくは前面部を被うならば、上下方向、左右方向、全面方向等の如く、どのように延在しても良いこと、その他、本発明の要旨を逸脱しない範囲内において種々変更を加え得ることは勿論である。
【図面の簡単な説明】
【００３２】
【図１】本発明の実施の形態の第一例を示す斜視図である。
【図２】図１のＩＩ方向の矢視図である。
【図３】図１のＩＩＩ−ＩＩＩ方向の矢視図である。
【図４】第一例の遊戯台カバーを取り付けた状態を示す斜視図である。
【図５】本発明の実施の形態の第二例を示す斜視図である。
【図６】図５のＶＩ−ＶＩ方向の矢視図である。
【図７】第二例の遊戯台カバーを取り付けた状態を示す斜視図である。
【図８】遊戯台の一例を示す斜視図である。
【符号の説明】
【００３３】
１１    遊戯台カバー
１２    支持部
１３    弾性部
１４    カバー本体
１６    収納部
２１    遊戯台カバー
２２    支持部
２３    弾性部
２４    カバー本体
２６    収納部
【図１】
2006055197.tif 000003
【図２】
2006055197.tif 000004
【図３】
2006055197.tif 000005
【図４】
2006055197.tif 000006
【図５】
2006055197.tif 000007
【図６】
2006055197.tif 000008
【図７】
2006055197.tif 000009
【図８】
2006055197.tif 000010